(57)【要約】【課題】異常が発生した時以外にも情報の配信に利用することができる監視システム、情報配信方法、監視装置、および警備端末装置を提供する。【解決手段】警備端末装置２００ｉは設定情報と位置情報を監視装置１００に予め登録しておき、監視装置１００が一般情報信号を受信すれば設定情報を使用して、また監視装置１００が緊急情報信号を受信すれば設定情報と位置情報を使用して配信先リストを作成する。監視装置１００は作成した配信先リストに基づき一般情報信号あるいは緊急情報信号を警備端末装置２００ｉに配信する。【選択図】図１
2007304702.tif 000002
【特許請求の範囲】
【請求項１】
監視対象における異常の発生をセンタに通知する監視システムであって、
前記監視対象を監視しており、異常が発生すると、種別を示す情報を含んだ緊急情報信号で異常の発生を前記センタに通知し、前記センタから配信された緊急情報信号または緊急性の無い一般情報信号を受信すると、該緊急情報信号または該一般情報信号に含まれている内容を出力する警備端末装置と、
前記警備端末装置の位置情報と前記警備端末装置に提供する情報の種別を示す設定情報とを予め記憶しており、前記警備端末装置から前記緊急情報信号を受信すると、該緊急情報信号に含まれている種別を示す情報と前記設定情報と前記位置情報とから配信先と判断した他の警備端末装置に前記緊急情報信号を配信し、一般情報信号を受信すると、該一般情報信号の種別と前記設定情報とから配信先と判断した警備端末装置に前記一般情報信号を配信する監視装置と、を有する監視システム。
【請求項２】
前記設定情報は、前記警備端末装置を識別する端末識別番号、前記一般情報信号と前記緊急情報信号とを識別する情報伝達信号種別、および前記一般情報信号と前記緊急情報信号との詳細情報を識別する詳細情報種別で構成されており、
前記監視装置は、前記一般情報信号または前記緊急情報信号を受信すると、受信した該一般情報信号または該緊急情報信号が前記警備端末装置の詳細情報種別に含まれる情報か否かにより該一般情報信号または該緊急情報信号が配信対象となるか否かを判断し、配信対象となる場合に、配信先に配信する請求項１項に記載の監視システム。
【請求項３】
監視対象における異常の発生を警備端末装置から監視装置に通知する監視システムにおける情報配信方法であって、
前記警備端末装置の位置情報と前記警備端末装置に提供する情報の種別を示す設定情報とを前記監視装置にて予め記憶しており、
前記警備端末装置から緊急情報信号を受信すると、前記監視装置は、該緊急情報信号に含まれている種別を示す情報と前記設定情報と前記位置情報とから配信先と判断した他の警備端末装置に前記緊急情報信号を配信し、
一般情報信号を受信すると、前記監視装置は、該一般情報信号の種別と前記設定情報とから配信先と判断した警備端末装置に前記一般情報信号を配信し、
前記センタから配信された緊急情報信号または緊急性の無い一般情報信号を受信すると、前記警備端末装置は、該緊急情報信号または該一般情報信号に含まれている内容を出力する、情報配信方法。
【請求項４】
前記設定情報は、前記警備端末装置を識別する端末識別番号、前記一般情報信号と前記緊急情報信号とを識別する情報伝達信号種別、および前記一般情報信号と前記緊急情報信号との詳細情報を識別する詳細情報種別で構成されており、
前記監視装置は、前記一般情報信号または前記緊急情報信号を受信すると、受信した該一般情報信号または該緊急情報信号が前記警備端末装置の詳細情報種別に含まれる情報か否かにより該一般情報信号または該緊急情報信号が配信対象となるか否かを判断し、配信対象となる場合に、配信先に配信する請求項３項に記載の情報配信方法。
【請求項５】
監視対象における異常の発生を監視する警備端末装置を管理する監視装置であって、
前記警備端末装置に提供する情報の種別を示す設定情報を予め記憶する設定情報記憶部と、
前記警備端末装置の位置情報を予め記憶する位置情報記憶部と、
受信した信号が緊急情報信号か一般情報信号かを判定し、さらにその信号に含まれている種別の情報を取得する信号解析部と、
前記信号解析部で取得された情報が一般情報信号に含まれている種別を示す情報であれば、前記設定情報を使用して配信先を決定し、緊急情報信号に含まれている種別を示す情報であれば、前記設定情報と前記位置情報を使用して配信先を決定する配信先決定部と、
前記配信先決定部で決定された配信先の警備端末装置に前記一般情報信号または前記緊急情報信号を送る情報配信部と、を有する監視装置。
【請求項６】
監視対象における異常の発生を監視しセンタに通知する警備端末装置であって、
異常が発生すると、種別を示す情報を含んだ緊急情報信号で異常の発生を前記センタに通知する信号送出部と、
前記センタから配信された緊急情報信号または緊急性の無い一般情報信号を受信する信号受信部と、
前記信号受信部で受信された該緊急情報信号または該一般情報信号に含まれている内容を出力する表示出力部と、を有する警備端末装置。
【発明の詳細な説明】
【技術分野】
【０００１】
本発明は、家庭などでの異常の発生を監視する監視システムに関する。
【背景技術】
【０００２】
現在、緊急時に備え、家庭内に警備端末装置を設置することが多くなってきている。警備端末装置は玄関など利用しやすい場所に設置されており、利用者は外出時や帰宅時に警備状態を切り換えて使用している。侵入者の検知や火災の発生など異常が発生すると、警備端末装置は、警備端末装置を監視している外部の監視装置に通報する。監視装置の管理者は通報の内容を確認し、侵入者の検知に関する通報であれば、契約している警備センタなどに連絡する。また、火災に関する通報であれば、消防署などに連絡する。さらに、監視装置では、被害の拡大を防止するために、異常が発生した付近の警備端末装置に対して異常の発生や被害の状況などの緊急情報を配信する。付近の住民は、自身の警備端末装置を通して付近で異常が発生したことを知ることができ、例えば、その後速やかに非難することができる。
【０００３】
特許文献１は、ビル内等に設置された警備端末装置が異常を検出すると、監視装置を通じて警備会社や消防署等の関係機関に緊急情報を通知するとともに、そのビルに勤務する関係者にも遅滞なく緊急情報を伝達する技術を開示している。監視装置は警備端末装置から緊急情報が伝達されると、その伝達された緊急情報の内容に応じて緊急レベルを判定する。監視装置は、判定した緊急レベルに応じて伝達リストから連絡先を取得するとともに、メッセージメモリから緊急メッセージを取得し、取得した緊急メッセージを連絡先に配信する。
【特許文献１】特開平１０−１８８１８５号公報
【発明の開示】
【発明が解決しようとする課題】
【０００４】
特許文献１に開示されているような、これまでの監視システムでは、監視装置は、警備端末装置や警備会社から緊急情報を受けると、被害発生場所付近など緊急性の高い警備端末装置に緊急情報を通知していた。そのため、異常が発生したときに限り、監視装置が緊急情報を警備端末装置に伝達しており、監視システムは、異常の発生など緊急情報を伝達する以外の用途では使用されていなかった。異常の発生は必ずしも頻度の高いものでないため、この種の監視システムが有効に活用されているとはいえない状態であった。
【０００５】
本発明の目的は、異常が発生した時以外にも情報の配信に利用することができる情報配信方法、監視装置、および警備端末装置を提供することにある。
【課題を解決するための手段】
【０００６】
上記目的を達成するために、本発明の監視システムは、
監視対象における異常の発生をセンタに通知する監視システムであって、
前記監視対象を監視しており、異常が発生すると、種別を示す情報を含んだ緊急情報信号で異常の発生を前記センタに通知し、前記センタから配信された緊急情報信号または緊急性の無い一般情報信号を受信すると、該緊急情報信号または該一般情報信号に含まれている内容を出力する警備端末装置と、
前記警備端末装置の位置情報と前記警備端末装置に提供する情報の種別を示す設定情報とを予め記憶しており、前記警備端末装置から前記緊急情報信号を受信すると、該緊急情報信号に含まれている種別を示す情報と前記設定情報と前記位置情報とから配信先と判断した他の警備端末装置に前記緊急情報信号を配信し、一般情報信号を受信すると、該一般情報信号の種別と前記設定情報とから配信先と判断した警備端末装置に前記一般情報信号を配信する監視装置と、を有している。
【０００７】
本発明によれば、監視装置に設定情報と位置情報とを予め記憶しておき、監視装置が一般情報信号を受信すると設定情報を使用して、また緊急情報信号を受信すると設定情報および位置情報を使用して、配信先リストを作成する。監視装置は作成した配信先リストに基づいて一般情報信号あるいは緊急情報信号を警備端末装置に配信する。警備端末装置は、監視装置が配信した一般情報信号あるいは緊急情報信号を解析し、解析した一般情報信号あるいは緊急情報信号の内容を出力する。
【発明の効果】
【０００８】
本発明によれば、監視システムを、異常が発生した時以外にも情報の配信に利用することができる。
【発明を実施するための最良の形態】
【０００９】
本発明を実施するための形態について図面を参照して詳細に説明する。
【００１０】
図１は、本実施形態の監視システムの構成を示すブロック図である。本システムは、監視装置１００および警備端末装置２００ｉ（ｉ＝１〜ｎ）を有している。監視センタに配置されている監視装置１００とユーザ宅に設定されている警備端末装置２００ｉとは通信ネットワーク３００を通じて接続されている。
【００１１】
監視装置１００は、信号受信部１０１、信号解析部１０２、配信先決定部１０３、情報配信部１０４、設定情報記憶部１０５、および位置情報記憶部１０６を有する。
【００１２】
監視装置１００は、警備端末装置２００ｉに提供する情報の種別を設定情報記憶部１０５に予め記憶している。監視装置１００は、外部の情報提供機関（不図示）から情報伝達信号を受信する。情報伝達信号には、電車遅延情報や天気予報の一般情報信号と火災情報や盗難情報の緊急情報信号とがある。監視装置１００は、情報提供機関から情報伝達信号を受信すると、受信した情報伝達信号を解析し設定情報記憶部１０５に記憶している種別の情報か否かを判定する。情報伝達信号の情報が設定情報に記憶されている種別の情報であれば、監視装置１００は、配信先リストを作成して配信先リストに含まれる警備端末装置２００ｉに対して情報伝達信号を配信する。
【００１３】
また、監視装置１００は、異常を検知した警備端末装置２００ｉから緊急情報信号を受信する。監視装置１００は、警備端末装置２００ｉから緊急情報信号を受信すると、受信した緊急情報信号を解析し設定情報記憶部１０５に記憶している種別の情報か否かを判定する。緊急情報信号の情報が設定情報に記憶されている種別の情報であれば、監視装置１００は、配信先リストを作成して配信先リストに含まれる警備端末装置２００ｉに対して緊急情報信号を配信する。
【００１４】
信号受信部１０１は、情報提供機関から一般情報信号と緊急情報信号を受信する。警備端末装置２００ｉは火災や侵入者など異常が発生したことを知らせる緊急情報信号を監視装置１００に送信し、監視装置１００の信号受信部１０１は警備端末装置２００ｉから緊急情報信号を受信する。
【００１５】
信号解析部１０２は、信号受信部１０１で受信された信号が一般情報信号か緊急情報信号かを解析し、さらにその一般情報信号または緊急情報信号の内容を解析する。この解析によって信号解析部１０２は、例えば緊急情報信号から火災に関する情報であることを取得し、あるいは一般情報信号から電車遅延に関する情報であることを取得する。そして、信号解析部１０２は、その情報の種別が、設定情報記憶部１０５に記憶されているものか否かにより、一般情報信号または緊急情報信号が配信の対象となる信号か否かを判定する。
【００１６】
配信先決定部１０３は、一般情報信号または緊急情報信号が配信の対象となる信号であるとき、各信号の配信先を決定する。配信先決定部１０３は、決定した配信先の情報を含む配信先リストを作成する。一般情報信号の場合、配信先決定部１０３は、一般情報信号の種類、および設定情報記憶部１０７に記憶されている設定情報から配信先リストを作成する。緊急情報信号の場合、配信先決定部１０３は、緊急情報信号の種類、位置情報記憶部１０８に記憶されている警報端末装置の位置情報、および設定情報から配信先リストを作成する。
【００１７】
情報配信部１０４は、配信先決定部１０３によって作成された配信先リストに含まれている警備端末装置２００ｉに対して、一般情報信号または緊急情報信号の情報伝達信号を配信する。
【００１８】
設定情報記憶部１０５は、警備端末装置２００ｉに提供する情報の種別を予め記憶する。利用者は警備端末装置２００ｉを使用して、利用者が必要とする情報を設定情報記憶部１０５に記憶させる。
【００１９】
設定情報記憶部１０５の設定情報は、データベースに予め登録されている。設定情報記憶部１０５は、警備端末装置２００ｉから登録情報を受信すると、該当するデータベースに設定情報を書き込む。また、設定情報記憶部１０５は、配信先決定部１０３からの要求で、書き込まれたデータベースから設定情報を読み出す。
【００２０】
位置情報記憶部１０６は、予め警備端末装置２００ｉの位置を示す位置情報を記憶する。位置情報は、被害が発生した警備端末装置２００ｉおよびその付近の警備端末装置２００ｉの位置を割り出すために利用される。
【００２１】
位置情報記憶部１０６の位置情報は、データベースに予め登録されている。位置情報記憶部１０６は、警備端末装置２００ｉから登録情報を受信すると、該当するデータベースに位置情報を書き込む。また、位置情報記憶部１０６は配信先決定部１０３からの要求で、書き込まれたデータベースから位置情報を読み出す。
【００２２】
警備端末装置２００ｉは、信号受信部２０１、信号判断部２０２、表示出力部２０３、センサ接続部２０４、信号送出部２０５、および受信情報登録部２０６を有する。
【００２３】
警備端末装置２００ｉは、警備端末装置１００から一般情報信号あるいは緊急情報信号を受信する。警備端末装置２００ｉは、受信した一般情報信号あるいは緊急情報信号を解析し、解析結果を利用者に提示する。
【００２４】
信号受信部２０１は、警備端末装置１００から情報伝達信号を受信する。
【００２５】
信号解析部２０２は、信号受信部２０１にて受信された情報伝達信号を解析する。
【００２６】
表示出力部２０３は、ＬＥＤ（Ｌｉｇｈｔ  Ｅｍｉｔｔｉｎｇ  Ｄｉｏｄｅ）やＬＣＤ（Ｌｉｑｕｉｄ  Ｃｒｙｓｔａｌ  Ｄｉｓｐｌａｙ）を用いて、信号解析部２０２の解析の結果である情報伝達信号の内容を利用者に提示する。
【００２７】
センサ接続部２０４は、火災や侵入者の検知など異常が発生すると、センサで異常を検出する。
【００２８】
信号送出部２０５は、センサ接続部２０４によって検出された異常を通知するための緊急情報信号を監視装置１００に送信する。
【００２９】
受信情報登録部２０６は、通信ネットワーク３００を経由して、監視装置１００の設定情報記憶部１０５に設定情報を登録し、また監視装置１００の位置情報記憶部１０６に位置情報を登録する。受信情報登録部２０６が設定情報の登録を監視装置１００の設定情報記憶部１０５に要求すると、その設定情報が設定情報記憶部１０５に記憶される。また、受信情報登録部２０６が位置情報の登録を監視装置１００の位置情報記憶部１０６に要求すると、その位置情報が位置情報記憶部１０６に記憶される。
【００３０】
図２は、設定情報記憶部１０５における設定情報の格納例である。設定情報は設定情報記憶部１０５に記憶されており、３つの列で構成されている。端末識別番号６０１には、警備端末装置の識別情報が格納されている。情報伝達信号種別６０２には、一般情報信号と緊急情報信号の各カテゴリが格納されている。詳細情報種別６０３には、各カテゴリの詳細な情報が格納されている。
【００３１】
図３は、本実施形態の監視システムの動作を示すフローチャートである。外部の情報提供機関から情報伝達信号を受信したときの動作例を示す。まず、各警備端末装置２００ｉが監視装置１００に自身の設定情報と位置情報を予め登録する（ステップ５００）。例えば、警備端末装置２００ｉ（ｉ＝１）は、図２に示したように一般情報信号のカテゴリとして電車遅延、天気予報、および交通渋滞を登録し、緊急情報信号のカテゴリとして火災発生および侵入者検知を登録している。
【００３２】
監視装置１００は、外部の情報提供機関から情報伝達信号を受信すると、受信した情報伝達信号を解析し、設定情報記憶部１０５に記憶している詳細情報種別６０３の情報か否かを判定する。（ステップ５０１）。
【００３３】
情報伝達信号が一般情報信号に含まれる詳細情報種別６０３の信号であれば、監視装置１００は、設定情報から配信先リストを作成する（ステップ５０２）。また、情報伝達信号が緊急情報信号に含まれる詳細情報種別６０３の信号であれば、監視装置１００は、設定情報と位置情報から配信先リストを作成する（ステップ５０２）。例えば、情報伝達信号が一般情報信号の天気予報に関する信号であれば、配信先リストには警備端末装置２００ｉ（ｉ＝１、２）が含まれる。
【００３４】
次に、監視装置１００は、配信先リストに含まれている警備端末装置２００ｉに対して情報伝達信号を送信する（ステップ５０３）。
【００３５】
情報伝達信号を受信した警備端末装置２００ｉは情報伝達信号を解析し、解析した情報を表示する（ステップ５０４）。例えば、警備端末装置２００ｉ（ｉ＝１、２）は、天気予報に関する情報をＬＥＤやＬＣＤなどで表示する。
【００３６】
図４Ａは、外部情報提供機関から情報伝達信号を受信したときの監視装置１００の動作を示すシーケンスチャートである。監視装置１００は、情報提供機関から情報伝達信号を受信する。監視装置１００は、受信した情報伝達信号が一般情報信号であるか緊急情報信号であるかを判別する。情報伝達信号が一般情報信号であれば、設定情報を利用して配信リストを作成する。また、情報伝信号が緊急情報信号であれば、位置情報と設定情報から配信リストを作成する。監視装置１００は、作成した配信先リストに基づき警備端末装置２００ｉに情報伝達信号を送信する。
【００３７】
図４Ｂは、警備端末装置から緊急情報信号を受信したときの監視装置１００の動作を示すシーケンスチャートである。警備端末装置２００ｉ（ｉ＝１）は火災などの異常を検出すると、緊急情報信号を監視装置１００に送信する。警備端末装置２００ｉ（ｉ＝１）から緊急情報信号を受信した監視装置１００は、警備端末の位置情報と設定情報から配信先リストを作成する。監視装置１００は、作成した配信先リストに基づき該当する警備端末装置２００ｉに緊急情報信号を送信する。
【００３８】
以上説明したように、本実施形態によれば、警備端末装置２００ｉは設定情報と位置情報を監視装置１００に予め記憶しておき、監視装置１００が一般情報信号を受信すれば設定情報を使用して、また監視装置１００が緊急情報信号を受信すれば設定情報と位置情報を使用して配信先リストを作成する。監視装置１００は作成した配信先リストに基づき一般情報信号あるいは緊急情報信号を警備端末装置２００ｉに配信することができる。これにより、監視システムを、異常が発生した時以外にも情報の配信に利用することができる。
【図面の簡単な説明】
【００３９】
【図１】本実施形態の監視システムの構成を示すブロック図である。
【図２】設定情報記憶部１０５における設定情報の格納例である。
【図３】本実施形態の監視システムの動作を示すフローチャートである。
【図４Ａ】外部の情報提供機関から情報伝達信号を受信したときの監視装置１００の動作を示すシーケンスチャートである。
【図４Ｂ】警備端末装置から緊急情報信号を受信したときの監視装置１００の動作を示すシーケンスチャートである。
【符号の説明】
【００４０】
１００  監視装置
１０１  信号受信部
１０２  信号解析部
１０３  配信先決定部
１０４  情報配信部
１０５  設定情報記憶部
１０６  位置情報記憶部
２００  警備端末装置
３００  通信ネットワーク
５００〜５０４  ステップ
６０１  端末識別番号
６０２  情報伝達信号種別
６０３  詳細情報種別
【図１】
2007304702.tif 000003
【図２】
2007304702.tif 000004
【図３】
2007304702.tif 000005
【図４Ａ】
2007304702.tif 000006
【図４Ｂ】
2007304702.tif 000007